(57)【要約】【課題】  カソードにリーク電流が生じた場合にも正常なＡＫＢ動作を行うことができるようにする。【解決手段】  ビデオアンプ１Ｒ、１Ｇ、１Ｂの出力ＯＵＴが、それぞれ陰極線管２のカソード３Ｒ、３Ｇ、３Ｂに接続される。さらにカソード３Ｒ、３Ｇ、３Ｂの近傍にはヒータ４Ｒ、４Ｇ、４Ｂが設けられ、これらのヒータ４Ｒ、４Ｇ、４Ｂにはヒータ電源５が接続されている。また、カソード３Ｒ、３Ｇ、３Ｂの前面にはグリッド６が設けられる。さらにビデオアンプ１Ｒ、１Ｇ、１Ｂの出力ＯＵＴＭが互いに接続され、この接続中点が電流−電圧（Ｉ−Ｖ）変換回路７に接続される。また、電流−電圧（Ｉ−Ｖ）変換回路７には、ヒータ４Ｒ、４Ｇ、４Ｂ及びヒータ電源５の回路の接地端と、グリッド６の接地端が直接接続される。【選択図】        図１
2005326490.tif 000002
【特許請求の範囲】
【請求項１】
カソードで発生した電子ビームを蛍光体の塗布されたアノードに向け放射することで、前記アノードの設けられた管面に映像を表示する陰極線管表示装置であって、
前記カソードのドライブ回路に前記カソードに対する流入または流出電流を計測する電流計測手段を設けると共に、
前記カソードに近接して配置されるヒータの電源及び／またはグリッドの電源に電流捕捉手段を設け、
前記電流計測手段及び電流捕捉手段からの情報の加算値を用いてＡＫＢ（Automatic Kinescope Bias）動作を行う
ことを特徴とする陰極線管表示装置。
【請求項２】
請求項１記載の陰極線管表示装置において、
カラー受像機を形成する場合に、前記ＡＫＢ動作は、垂直帰線期間内の所定の水平走査毎に色順次で行う
ことを特徴とする陰極線管表示装置。
【請求項３】
請求項１記載の陰極線管表示装置において、
前記カソードに対する流入または流出電流の計測は、前記カソードのドライブ回路に設けられる機能を利用して行う
ことを特徴とする陰極線管表示装置。
【請求項４】
請求項１記載の陰極線管表示装置において、
前記カソードに対する流入または流出電流の計測は、前記カソードのドライブ回路の出力に逆方向電流の検出手段を設けて行う
ことを特徴とする陰極線管表示装置。
【請求項５】
請求項４記載の陰極線管表示装置において、
前記逆方向電流の検出手段に定電流を付加して双方向の電流検出を行う
ことを特徴とする陰極線管表示装置。
【請求項６】
請求項１記載の陰極線管表示装置において、
前記電流計測手段及び電流捕捉手段からの情報の加算は、電流加算若しくは電圧に変換した後に加算する
ことを特徴とする陰極線管表示装置。
【請求項７】
カソードのドライブ回路に前記カソードに対する流入または流出電流を計測する電流計測手段を設けると共に、
前記カソードに近接して配置されるヒータの電源及び／またはグリッドの電源に電流捕捉手段を設け、
前記電流計測手段及び電流捕捉手段からの情報の加算値を用いてＡＫＢ（Automatic Kinescope Bias）動作を行う
ことを特徴とする陰極線管表示装置の駆動回路。
【請求項８】
請求項７記載の陰極線管表示装置の駆動回路において、
前記陰極線管表示装置がカラー受像機を形成する場合に、前記ＡＫＢ動作は、垂直帰線期間内の所定の水平走査毎に色順次で行う
ことを特徴とする陰極線管表示装置の駆動回路。
【請求項９】
請求項７記載の陰極線管表示装置の駆動回路において、
前記カソードに対する流入または流出電流の計測は、前記カソードのドライブ回路に設けられる機能を利用して行う
ことを特徴とする陰極線管表示装置の駆動回路。
【請求項１０】
請求項７記載の陰極線管表示装置の駆動回路において、
前記カソードに対する流入または流出電流の計測は、前記カソードのドライブ回路の出力に逆方向電流の検出手段を設けて行う
ことを特徴とする陰極線管表示装置の駆動回路。
【請求項１１】
請求項１０記載の陰極線管表示装置の駆動回路において、
前記逆方向電流の検出手段に定電流を付加して双方向の電流検出を行う
ことを特徴とする陰極線管表示装置の駆動回路。
【請求項１２】
請求項７記載の陰極線管表示装置の駆動回路において、
前記電流計測手段及び電流捕捉手段からの情報の加算は、電流加算若しくは電圧に変換した後に加算する
ことを特徴とする陰極線管表示装置の駆動回路。
【発明の詳細な説明】
【技術分野】
【０００１】
本発明は、例えばカラー受像機に使用して好適な陰極線管表示装置、及びその駆動回路に関する。詳しくは、陰極線管表示装置におけるＡＫＢ（Automatic Kinescope Bias）動作を行う場合に、良好な検出情報を得ることができるようにしたものである。
【背景技術】
【０００２】
陰極線管表示装置におけるＡＫＢ（Automatic Kinescope Bias）動作は、知られている（例えば、特許文献１参照。）。
【０００３】
【特許文献１】特開２０００−１３８１５号公報
【発明の開示】
【発明が解決しようとする課題】
【０００４】
例えばカラー受像機に使用される陰極線管表示装置におけるＡＫＢ（Automatic Kinescope Bias）動作は、上記の特許文献１にも開示されているが、従来は例えば図５に示すような手段を用いて実施されている。
【０００５】
図５において、図面左側から入力されるビデオ信号は、ＡＫＢコントロール機能を有するビデオプリアンプ１０１に供給されて赤（Ｒ）、緑（Ｇ）、青（Ｂ）の三原色信号に分解される。そしてこれらの三原色信号が、それぞれドライブ回路としての三原色のビデオアンプ１０２Ｒ、１０２Ｇ、１０２Ｂを通じて、カラー陰極線管１０３の三原色のカソード１０４Ｒ、１０４Ｇ、１０４Ｂに供給される。
【０００６】
また、カラー陰極線管１０３においては、カソード１０４Ｒ〜１０４Ｂに近接してヒータ１０５Ｒ、１０５Ｇ、１０５Ｂが設けられると共に、カソード１０４Ｒ〜１０４Ｂの前面側に接地電位のグリッド１０６が設けられる。そしてカソード１０４Ｒ〜１０４Ｂで発生した電子ビームは、グリッド１０６で加速されて蛍光体の塗布されたアノード１０７に向け放射され、アノード１０７の設けられる管面にビデオ信号による映像が表示される。
【０００７】
ところがこのような陰極線管表示装置において、経年変化などによるビデオアンプ１０２Ｒ〜１０２Ｂの性能の変動や、その他の原因によって、三原色の信号のバランスが変化し、管面に表示される映像の色純度が劣化してしまう場合がある。そこでそのような色純度の劣化を補償する目的で、ＡＫＢ（Automatic Kinescope Bias）動作が行われる。
【０００８】
すなわち図５において、ビデオアンプ１０２Ｒ〜１０２Ｂからは、それぞれのカソード１０４Ｒ〜１０４Ｂに供給される電流ＲＫ、ＧＫ、ＢＫに対応する検出信号ＩＫが取り出される。一方、ＡＫＢコントロール回路１０８が設けられ、このＡＫＢコントロール回路１０８からは、例えば垂直帰線期間の所定の水平期間毎に色順次でパルスを発生する制御信号がビデオプリアンプ１０１に供給される。
【０００９】
これによって、ビデオプリアンプ１０１から出力される三原色のビデオ信号の垂直帰線期間に、それぞれ例えば図５中のＲ、Ｇ、Ｂに示すようなパルスが挿入される。そして、これらのパルスを含む三原色のビデオ信号が、それぞれビデオアンプ１０２Ｒ〜１０２Ｂを通じてカソード１０４Ｒ〜１０４Ｂに供給される。なお、パルスが挿入されるのは垂直帰線期間なので、これらのパルスが表示されることはない。
【００１０】
しかし、上述のパルスが挿入されることによって、ビデオアンプ１０２Ｒ〜１０２Ｂからはそれぞれパルスを含む検出信号が取り出され、これらが合成されて図５中に示すような検出信号ＩＫが形成される。すなわちこの検出信号ＩＫにおけるそれぞれのパルスは、ビデオプリアンプ１０１で挿入されたパルスに対してビデオアンプ１０２Ｒ〜１０２Ｂの性能が反映されたものである。
【００１１】
そこで、これらのパルスの比較によって、ビデオアンプ１０２Ｒ〜１０２Ｂの性能の変動を測ることができる。この結果に基づいて、ＡＫＢコントロール回路１０８はそれぞれの性能を補償する制御値を算出し、これらの制御値を用いて、例えばバイアスコントロール回路１０９にてビデオプリアンプ１０１から出力される三原色信号のバイアスを調整することにより、ビデオアンプ１０２Ｒ〜１０２Ｂの性能の変動を補償することができる。
【００１２】
このようにして、従来のＡＫＢ動作が行われていた。ところが、上述のビデオアンプ１０２Ｒ〜１０２Ｂから取り出される検出信号ＩＫには、ビデオアンプ１０２Ｒ〜１０２Ｂによる性能の変動分だけでなく、カラー陰極線管１０３のカソード１０４Ｒ〜１０４Ｂ周辺におけるリーク電流の影響も含まれるものであった。そのリーク電流の発生について、以下に図６を用いて説明する。
【００１３】
すなわち図６には、カラー陰極線管１０３のカソード１０４Ｒ〜１０４Ｂ周辺の電子銃の構造を示す。この図６において、キャップ状に形成されたグリッド１０６（第１グリッドＧ１）の内側に、絶縁性のセラミックディスク１１１が嵌合され、このセラミックディスク１１に設けられた孔に干渉部材を介してカソード１０４Ｒ〜１０４Ｂを形成するニッケル製のスリーブ１１２Ｒ、１１２Ｇ、１１２Ｂが設けられる。
【００１４】
また、これらのスリーブ１１２Ｒ〜１１２Ｂの内部には、それぞれヒータ１０５Ｒ〜１０５Ｂが設けられる。なおこれらのヒータ１０５Ｒ〜１０５Ｂとなる線材は、それぞれ絶縁性のアルミナによって被覆されている。さらに、図示では第２グリッド１１０（Ｇ２）が設けられ、これらのカソード１０４Ｒ〜１０４Ｂ、ヒータ１０５Ｒ〜１０５Ｂ、グリッド１０６、１１０にはそれぞれ外部からのリード線が接続されている。
【００１５】
このようなカソード１０４Ｒ〜１０４Ｂ周辺の構造において、経年変化等によって、グリッド１０６（第１グリッドＧ１）の表面に熱電子放射物質（酸化物）１１３が付着したり、セラミックディスク１１１の表面に蒸着物質１１４が付着したりすることがある。そしてこのような熱電子放射物質１１３や蒸着物質１１４によって絶縁不良が生じ、カソード１０４Ｒ〜１０４Ｂからのリーク電流が生じるものである。
【００１６】
そこで、カソード１０４Ｒ〜１０４Ｂにこのようなリーク電流が生じている場合には、上述の検出信号ＩＫがビデオアンプ１０２Ｒ〜１０２Ｂの変動だけを反映したものではなくなることになり、上述の回路構成では正常なＡＫＢ動作を行えない恐れが生じる。さらには、このようなリーク電流の影響によりＡＫＢ動作に誤動作を生じて、管面に表示される映像の品質を劣化させてしまう恐れも生じるものである。
【００１７】
この出願はこのような点に鑑みて成されたものであって、解決しようとする問題点は、従来の装置では、カソードにリーク電流が生じた場合に正常なＡＫＢ動作を行えない恐れがあり、さらにこのようなリーク電流の影響によりＡＫＢ動作に誤動作を生じて、管面に表示される映像の品質を劣化させてしまう恐れもあったというものである。
【課題を解決するための手段】
【００１８】
このため本発明においては、ヒータ電源及び／またはグリッド電源の電流を捕捉する手段を設け、カソードに対する流入または流出電流を計測した情報と、上記の捕捉した電流の情報を加算して、ＡＫＢ動作を行うようにしたものであって、これによれば、カソードにリーク電流が生じた場合にも正常なＡＫＢ動作を行うことができ、ＡＫＢの誤動作により管面に表示される映像に品質の劣化等の生じる恐れを解消することができる。
【発明の効果】
【００１９】
請求項１の発明によれば、ヒータ電源及び／またはグリッド電源の電流を捕捉する手段を設け、カソードに対する流入または流出電流を計測した情報と、上記の捕捉した電流の情報を加算して、ＡＫＢ動作を行うことによって、カソードにリーク電流が生じた場合にも正常なＡＫＢ動作を行うことができ、ＡＫＢの誤動作により管面に表示される映像に品質の劣化等の生じる恐れを解消することができるものである。
【００２０】
また、請求項２の発明によれば、カラー受像機を形成する場合に、ＡＫＢ動作は、垂直帰線期間内の所定の水平走査毎に色順次で行うことによって、カラー受像機のＡＫＢ動作にも適用できるものである。
【００２１】
請求項３の発明によれば、カソードに対する流入または流出電流の計測は、カソードのドライブ回路に設けられる機能を利用して行うことによって、従来の設計の装置にも良好に適用できるものである。
【００２２】
請求項４の発明によれば、カソードに対する流入または流出電流の計測は、カソードのドライブ回路の出力に逆方向電流の検出手段を設けて行うことによって、新規の設計の装置にも良好に適用できるものである。
【００２３】
請求項５の発明によれば、逆方向電流の検出手段に定電流を付加して双方向の電流検出を行うことによって、より広範囲のリーク電流に対してＡＫＢ動作を正常に行うことができるものである。
【００２４】
請求項６の発明によれば、電流計測手段及び電流捕捉手段からの情報の加算は、電流加算若しくは電圧に変換した後に加算することによって、電圧制御の装置においても適用できるものである。
【００２５】
さらに請求項７の発明によれば、ヒータ電源及び／またはグリッド電源の電流を捕捉する手段を設け、カソードに対する流入または流出電流を計測した情報と、上記の捕捉した電流の情報を加算して、ＡＫＢ動作を行うことによって、カソードにリーク電流が生じた場合にも正常なＡＫＢ動作を行うことができ、ＡＫＢの誤動作により管面に表示される映像に品質の劣化等の生じる恐れを解消することができるものである。
【００２６】
また、請求項８の発明によれば、陰極線管表示装置がカラー受像機を形成する場合に、ＡＫＢ動作は、垂直帰線期間内の所定の水平走査毎に色順次で行うことによって、カラー受像機のＡＫＢ動作にも適用できるものである。
【００２７】
請求項９の発明によれば、カソードに対する流入または流出電流の計測は、カソードのドライブ回路に設けられる機能を利用して行うことによって、従来の設計の装置にも良好に適用できるものである。
【００２８】
請求項１０の発明によれば、カソードに対する流入または流出電流の計測は、カソードのドライブ回路の出力に逆方向電流の検出手段を設けて行うことによって、新規の設計の装置にも良好に適用できるものである。
【００２９】
請求項１１の発明によれば、逆方向電流の検出手段に定電流を付加して双方向の電流検出を行うことによって、より広範囲のリーク電流に対してＡＫＢ動作を正常に行うことができるものである。
【００３０】
請求項１２の発明によれば、電流計測手段及び電流捕捉手段からの情報の加算は、電流加算若しくは電圧に変換した後に加算することによって、電圧制御の装置においても適用できるものである。
【００３１】
これによって、従来の装置では、カソードにリーク電流が生じた場合に正常なＡＫＢ動作を行えない恐れがあり、さらにこのようなリーク電流の影響によりＡＫＢ動作に誤動作を生じて、管面に表示される映像の品質を劣化させてしまう恐れがあったものを、本発明によればこれらの問題点を容易に解消することができるものである。
【発明を実施するための最良の形態】
【００３２】
すなわち本発明の陰極線管表示装置においては、カソードで発生した電子ビームを蛍光体の塗布されたアノードに向け放射することで、アノードの設けられた管面に映像を表示する陰極線管表示装置であって、カソードのドライブ回路にカソードに対する流入または流出電流を計測する電流計測手段を設けると共に、カソードに近接して配置されるヒータの電源及び／またはグリッドの電源に電流捕捉手段を設け、電流計測手段及び電流捕捉手段からの情報の加算値を用いてＡＫＢ（Automatic Kinescope Bias）動作を行うものである。
【００３３】
また、本発明の陰極線管表示装置の駆動回路においては、カソードのドライブ回路にカソードに対する流入または流出電流を計測する電流計測手段を設けると共に、カソードに近接して配置されるヒータの電源及び／またはグリッドの電源に電流捕捉手段を設け、電流計測手段及び電流捕捉手段からの情報の加算値を用いてＡＫＢ（Automatic Kinescope Bias）動作を行うものである。
【００３４】
以下、図面を参照して本発明を説明するに、図１は本発明による陰極線管表示装置、及びその駆動回路を適用したカラー受像機の要部の構成を示す一実施形態のブロック図である。すなわち図１においては、上述の図５に示したビデオプリアンプ１０１で赤（Ｒ）、緑（Ｇ）、青（Ｂ）に分解された三原色信号が、それぞれドライブ回路としての三原色のビデオアンプ（ＩＣ回路）１Ｒ、１Ｇ、１Ｂに供給される。
【００３５】
ここで、ビデオアンプ１Ｒ〜１Ｂの内部構成は、例えば図２に示すようになっている。図２において、正負の入力信号ＶＩＮ＋、ＶＩＮ−が電流電圧変換手段２１を通じて、ミラー回路２２で合成され、この合成された信号が電流入力回路２３に供給される。なお、電流入力回路２３の入力部には電流原２４が設けられる。さらに電流入力回路２３の出力はミラー回路２５に接続されて、例えば４倍の電流に増幅される。そして増幅された電流がアンプ２６を通じてカソード電流ＲＫ〜ＢＫの出力ＯＵＴとして取り出される。
【００３６】
さらに、アンプ２６の電源側及び接地側の電源路にそれぞれカスコード回路２７、２８が設けられ、これらのカスコード回路２７、２８で反転された電流が合成されて、上述のカソード電流ＲＫ〜ＢＫに対応する検出信号ＩＫの出力ＯＵＴＭが取り出される。すなわち、この出力ＯＵＴＭにはカソード電流ＲＫ〜ＢＫに対して、その電流値を比例的に変換したような電流の検出信号ＩＫが取り出されている。
【００３７】
そこで図１においては、ビデオアンプ１Ｒ、１Ｇ、１Ｂの出力ＯＵＴが、それぞれ陰極線管２のカソード３Ｒ、３Ｇ、３Ｂに接続され、それぞれ三原色のビデオ信号の応じたカソード電流がカソード３Ｒ、３Ｇ、３Ｂに供給される。さらにカソード３Ｒ、３Ｇ、３Ｂの近傍にはヒータ４Ｒ、４Ｇ、４Ｂが設けられ、これらのヒータ４Ｒ、４Ｇ、４Ｂにはヒータ電源５が接続されている。また、カソード３Ｒ、３Ｇ、３Ｂの前面にはグリッド６が設けられる。
【００３８】
さらにビデオアンプ１Ｒ、１Ｇ、１Ｂの出力ＯＵＴＭが互いに接続され、この接続中点が電流−電圧（Ｉ−Ｖ）変換回路７に接続される。また、電流−電圧（Ｉ−Ｖ）変換回路７には、ヒータ４Ｒ、４Ｇ、４Ｂ及びヒータ電源５の回路の接地端と、グリッド６の接地端が直接接続される。これにより電流−電圧（Ｉ−Ｖ）変換回路７には、カソード電流ＲＫ〜ＢＫに対応する検出信号ＩＫと、ヒータ４Ｒ、４Ｇ、４Ｂ及びグリッド６に流れる電流が供給され、これらの電流に応じた検出信号Ｖ−ＯＵＴが取り出される。
【００３９】
そして、この構成において、例えばビデオアンプ１Ｇとカソード３Ｇに着目すると、カソード３Ｇからの電子ビームの放射により電流ＩＫが生じている場合には、ビデオアンプ１Ｇの出力ＯＵＴに電流ＩＫが流入し、出力ＯＵＴＭから電流ＩＫが流出している。
【００４０】
さらにこの状態で、例えばカソード３Ｒとの間で絶縁不良による抵抗ＲＫＫを介して、カソード３Ｒからカソード３Ｇに向かってリーク電流ＬＩＫＫが発生した場合を考える。この場合に、リーク電流ＬＩＫＫは、ビデオアンプ１Ｂでは出力ＯＵＴから流出し、出力ＯＵＴＭに流入することになる。一方、リーク電流ＬＩＫＫは、ビデオアンプ１Ｇでは、出力ＯＵＴに流入し、出力ＯＵＴＭから流出することになる。
【００４１】
したがって、この場合に、電流−電圧（Ｉ−Ｖ）変換回路７の入力端では、ビデオアンプ１Ｂの出力ＯＵＴＭに流入する電流ＬＩＫＫと、ビデオアンプ１Ｇの出力ＯＵＴＭから流出する電流ＬＩＫＫとが相殺され、このリーク電流ＬＩＫＫによる影響は生じないことになる。すなわちこの回路構成においては、カソード３Ｒ、３Ｇ、３Ｂ間でリーク電流が生じても、電流−電圧（Ｉ−Ｖ）変換回路７から取り出される検出信号Ｖ−ＯＵＴには影響が生じないことになる。なお、この作用効果は現状の回路構成でも生じているものである。
【００４２】
そこでさらに上述の状態で、例えばヒータ４Ｇとの間で絶縁不良による抵抗ＲＫＨを介して、カソード３Ｇからヒータ４Ｇに向かってリーク電流ＬＩＫＨが発生した場合を考える。この場合に、リーク電流ＬＩＫＨは、ビデオアンプ１Ｇでは出力ＯＵＴから流出し、出力ＯＵＴＭに流入することになる。一方、リーク電流ＬＩＫＨは、ヒータ４Ｇ及びヒータ電源５の回路の接地端に流出する。
【００４３】
したがって、この場合に、電流−電圧（Ｉ−Ｖ）変換回路７の入力端では、ビデオアンプ１Ｇの出力ＯＵＴＭから流出する電流ＬＩＫＨと、ヒータ４Ｇ及びヒータ電源５の回路の接地端に流出する電流ＬＩＫＨとが相殺され、このリーク電流ＬＩＫＨによる影響は生じないことになる。すなわちこの回路構成においては、各カソード３Ｒ、３Ｇ、３Ｂとヒータ４Ｒ、４Ｇ、４Ｂとの間でリーク電流が生じても、電流−電圧（Ｉ−Ｖ）変換回路７から取り出される検出信号Ｖ−ＯＵＴには影響が生じないことになる。
【００４４】
また、上述の状態において、例えばグリッド６との間で絶縁不良による抵抗ＲＫＧを介して、カソード３Ｂからグリッド６に向かってリーク電流ＬＩＫＧが発生した場合を考える。この場合に、リーク電流ＬＩＫＧは、ビデオアンプ１Ｂでは出力ＯＵＴから流出し、出力ＯＵＴＭに流入することになる。一方、リーク電流ＬＩＫＧは、グリッド６の接地端に流出する。
【００４５】
したがって、この場合に、電流−電圧（Ｉ−Ｖ）変換回路７の入力端では、ビデオアンプ１Ｂの出力ＯＵＴＭから流出する電流ＬＩＫＧと、グリッド６の接地端に流出する電流ＬＩＫＧとが相殺され、このリーク電流ＬＩＫＧによる影響は生じないことになる。すなわちこの回路構成においては、各カソード３Ｒ、３Ｇ、３Ｂとグリッド６との間でリーク電流が生じても、電流−電圧（Ｉ−Ｖ）変換回路７から取り出される検出信号Ｖ−ＯＵＴには影響が生じないことになる。
【００４６】
以上の結果より、３個のビデオアンプ（ＩＣ回路）１Ｒ、１Ｇ、１Ｂとヒータ電源系とグリッド６との接続点では、電極間リークに起因する電流は相殺される。これはいかなる状態のリークモードの組み合わせでも成立する。そしてこの状態に重畳して流れる電子ビーム電流（ＩＫ）だけが、ＯＵＴＭ接続点（電流加算点）に発生する。そこでこの電流加算点に電流−電圧（Ｉ−Ｖ）変換回路７を付加すれば、電極間リーク電流に影響されないで、真の電子ビーム電流に対応した電圧出力が得られる。そしてこれをＡＫＢコントロール回路に導けば、完全なシステムが構成できる。
【００４７】
なお、上述の実施の形態では、ヒータとグリッド６は３Ｖ以上の固定値（Ｖｃ）にバイアスされている。このため、ヒータ電源を浮動（フローティング）電源にする必要があるが、これは容易に実現できることである。また、例示したトランジスタによる電流−電圧（Ｉ−Ｖ）変換回路７は、片極性の電流（吸い込み電流）しか変換できないが、出力ＯＵＴＭのオフセットによる誤差による不感帯に対しては、例えば抵抗器７１により適当なバイアス電流を与えて回避することができる。
【００４８】
このようにして、上述した実施の形態によれば、ＡＫＢ動作におけるリーク電流の影響を除去することができる。したがって、上述の回路構成を、例えば図５の陰極線管表示装置に適用することによって、カソードにリーク電流が生じた場合にも正常なＡＫＢ動作を行うことができ、ＡＫＢの誤動作により管面に表示される映像に品質の劣化等の生じる恐れを解消することができる。
【００４９】
さらに上述の実施の形態において、例えば垂直帰線期間内の所定の水平走査で、垂直期間ごとに行うことによって、不規則なリークの変動に対しても即応して追従し、常に良好なＡＫＢ動作により、安定した映像の表示を行うことができる。また、カラー受像機を形成する場合には、垂直帰線期間内の所定の水平走査毎に色順次で行うことによって、カラー受像機のＡＫＢ動作にも適用できる。
【００５０】
また、上述した実施の形態によれば、ＡＫＢ動作におけるリーク電流の影響が除去されるので、例えばビデオプリアンプで基準検出パルスを挿入する際のカソード電流を、従来の場合より小さくすることが可能になり、このパルスが表示画面に現れた場合の目障り感や、オーバースキャンのハレーションによる障害の発生などを軽減することができる。さらに低コストに構成でき、これによりモニターやテレビ受像機において、輝度諧調再現性の優れた画質が得られる。
【００５１】
なお、上述の図１に示した実施の形態で、カソードドライブ回路出力の電流計測には、ビデオアンプ（ＩＣ回路）１Ｒ、１Ｇ、１Ｂの機能が利用された。しかし、カソードドライブ回路と電流計測回路は、例えば図３のＡに示すようにトランジスタで構成する場合も多い。この場合は、カソードから回路側に流れる電流（ＩＫ）はトランジスタ３４を経由して伝送できるが、ドライブ出力からカソード側への電流（ＬＩｘ）は、トランジスタ３４を経由して伝送できない。
【００５２】
したがって、この場合に、ＡＫＢフィードバック電圧情報は、ＩＫ≧ＬＩｘの範囲では（ＩＫ−ＬＩｘ）×Ｒになるが、ＩＫ＜ＬＩｘの時には電圧情報は消失する問題がある。すなわち、従来の計測方式では、ドライブ回路からカソード側への電流は計測できず、本発明に適合しない。
【００５３】
そこで、この問題に対しては、図３のＢに示すようにドライブ回路出力に電流ＩＢの定電流源３６を付加して回避することができる。ここで定電流源は、当該関係者には周知の回路であり、トランジスタやＦＥＴで容易に構成できる。そしてＩＫ−ＬＩｘ＜ＩＢになるように、実用的な電流ＩＢに設定しておけばよい。なお、ＡＫＢフィードバック電圧情報は、常時電流ＩＢに相当するオフセットを含むことになるが、後続の回路でクランプすれば、これはキャンセルされる。かくして、カソードドライブ回路側に双方向の電流計測機能を付加でき、本発明に適合させ得る。
【００５４】
さらに、今までの説明では、ヒータ４Ｒ、４Ｇ、４Ｂとグリッド６の電位は、電流−電圧（Ｉ−Ｖ）変換回路７の入力電圧（Ｖｃ）のままであった。これに対して、これらの電極（例えばＧ１）を任意の電圧にバイアスする場合を図４に示す。すなわち図４では、グリッド６と電流−電圧（Ｉ−Ｖ）変換回路７の間にカレントミラー回路を配置して、グリッド６を所望の電圧にバイアスしながら、ＬＩＣ１を電流−電圧（Ｉ−Ｖ）変換回路７に導く。カレントミラー回路も当該関係者には周知の回路であり、容易に構成できる。
【００５５】
なお図５の実施の形態でのグリッド電位は、直流電位の場合だけでなく、ブランキングパルスを印加する場合にも適応させることが可能である。さらに上述の実施の形態では、電流情報を取りまとめて電流−電圧（Ｉ−Ｖ）変換する手法で説明したが、それらの電流情報を電圧に変換してから電圧加算する方法でも同結果が得られる。
【００５６】
従って上述の実施形態において、ヒータ電源及び／またはグリッド電源の電流を捕捉する手段を設け、カソードに対する流入または流出電流を計測した情報と、上記の捕捉した電流の情報を加算して、ＡＫＢ動作を行うようにしたことによって、カソードにリーク電流が生じた場合にも正常なＡＫＢ動作を行うことができ、ＡＫＢの誤動作により管面に表示される映像に品質の劣化等の生じる恐れを解消することができる。
【００５７】
これによって、従来の装置では、カソードにリーク電流が生じた場合に正常なＡＫＢ動作を行えない恐れがあり、さらにこのようなリーク電流の影響によりＡＫＢ動作に誤動作を生じて、管面に表示される映像の品質を劣化させてしまう恐れがあったものを、本発明によればこれらの問題点を容易に解消することができるものである。
【００５８】
こうして本発明によれば、カソードで発生した電子ビームを蛍光体の塗布されたアノードに向け放射することで、アノードの設けられた管面に映像を表示する陰極線管表示装置であって、カソードのドライブ回路にカソードに対する流入または流出電流を計測する電流計測手段を設けると共に、カソードに近接して配置されるヒータの電源及び／またはグリッドの電源に電流捕捉手段を設け、電流計測手段及び電流捕捉手段からの情報の加算値を用いてＡＫＢ（Automatic Kinescope Bias）動作を行うことにより、カソードにリーク電流が生じた場合にも正常なＡＫＢ動作を行うことができ、ＡＫＢの誤動作により管面に表示される映像に品質の劣化等の生じる恐れを解消することができるものである。
【００５９】
また、本発明の陰極線管表示装置の駆動回路によれば、カソードのドライブ回路にカソードに対する流入または流出電流を計測する電流計測手段を設けると共に、カソードに近接して配置されるヒータの電源及び／またはグリッドの電源に電流捕捉手段を設け、電流計測手段及び電流捕捉手段からの情報の加算値を用いてＡＫＢ（Automatic Kinescope Bias）動作を行うことにより、カソードにリーク電流が生じた場合にも正常なＡＫＢ動作を行うことができ、ＡＫＢの誤動作により管面に表示される映像に品質の劣化等の生じる恐れを解消することができるものである。
【００６０】
なお本発明は、上述の説明した実施形態に限定されるものではなく、本発明の精神を逸脱することなく種々の変形が可能とされるものである。
【図面の簡単な説明】
【００６１】
【図１】本発明による陰極線管表示装置、及びその駆動回路を適用したカラー受像機の要部の構成を示す一実施形態のブロック図である。
【図２】その動作の説明のためのビデオアンプの内部構成を示す回路図である。
【図３】その要部をトランジスタ回路で構成する場合の回路図である。
【図４】その電極を任意の電圧にバイアスする場合の回路図である。
【図５】従来の陰極線管表示装置の駆動回路の構成を示すブロック図である。
【図６】その説明のための電子銃の構成図である。
【符号の説明】
【００６２】
１Ｒ，１Ｇ，１Ｂ…三原色のビデオアンプ（ＩＣ回路）、２…陰極線管、３Ｒ，３Ｇ，３Ｂ…カソード、４Ｒ，４Ｇ，４Ｂ…ヒータ、５…ヒータ電源、６…グリッド、７…電流−電圧（Ｉ−Ｖ）変換回路
【図１】
2005326490.tif 000003
【図２】
2005326490.tif 000004
【図３】
2005326490.tif 000005
【図４】
2005326490.tif 000006
【図５】
2005326490.tif 000007
【図６】
2005326490.tif 000008